(57)【要約】【課題】中皿を確実に保持しつつ、容易に中皿の交換を行うことができる化粧料容器を提供することである。【解決手段】化粧料容器１００においては、収容凹部１３０の一の側壁１３１に中皿２００の係止部２４０に係合する固定係止部１５１が形成され、収容凹部１３０の一の側壁１３１に対向する他の側壁１３２に中皿２００の係止部２４１に係合する弾性係止部１５０が形成され、一の側壁１３１側の収容凹部１３０の底面に孔部１３５が形成される。【選択図】図１
2010075238.tif 000002
【特許請求の範囲】
【請求項１】
側壁に囲まれ、化粧料を充填した中皿を収容する収容凹部を有する容器本体と、前記容器本体に開閉自在に蝶着された蓋体とを有する化粧料容器であって、
前記収容凹部の一の側壁に前記中皿に係合する固定係止部が形成され、前記収容凹部の一の側壁に対向する他の側壁に前記中皿に係合する弾性係止部が形成され、前記一の側壁近傍側の前記収容凹部の底面に孔部が形成されたことを特徴とする化粧料容器。
【請求項２】
前記孔部は、楕円状孔部からなり、
前記蓋体の蝶着側に前記一の側壁が形成され、前記楕円状孔部の長軸が前記蓋体の蝶着軸に並行に形成されたことを特徴とする請求項１記載の化粧料容器。
【請求項３】
化粧料を充填した中皿をさらに備え、
前記中皿は、ヒンジ部を介して設けられた上蓋を含み、
前記容器本体に前記中皿を収容した際に、前記中皿のヒンジ部が外部に露出するよう前記容器本体の側壁の一部を切欠いた切欠き部を有することを特徴とする請求項１または請求項２記載の化粧料容器。
【請求項４】
前記中皿を前記容器本体に収納した場合に、前記楕円状孔部に対応する前記中皿の裏面の位置に凹凸形状が形成されたことを特徴とする請求項３記載の化粧料容器。
【発明の詳細な説明】
【技術分野】
【０００１】
本発明は、化粧料を充填した中皿を収容する化粧料容器に関する。
【背景技術】
【０００２】
従来から、化粧料を収容した化粧料容器が開発され、販売されている。近年、化粧料容器に化粧料をしっかりと固定させるために、化粧料を収容した容器を化粧料容器の収容凹部にホットメルト等で接着した構成が採用されている。このように化粧料容器においては、需要者（使用者）のニーズに応えるべく日々改良および研究開発が行われている。
【０００３】
例えば、特許文献１には、化粧料使用時に内蓋が気密化粧料容器外に移動し、化粧料の収容部を広く露出することによって、取り扱い時の操作性を向上させると共に、製造性の向上を図り安価な気密化粧料容器について開示されている。
【０００４】
特許文献１記載の気密化粧料容器においては、周側壁で区画してその内部に収納部が形成された容器本体と、該容器本体の後端部に蝶番を介して開閉自在に設けられた外蓋と、該外蓋で容器本体を閉止するためにこれら両者の前端部に設けられたフック手段と、上記容器本体の上記収納部に着脱自在に収納される気密レフィル容器とを備え、該気密レフィル容器は、化粧料の収容部を有する器体に該収容部内方を気密に閉止する内蓋を開閉自在に取り付けるヒンジを有し、上記容器本体の上記周側壁の収納部側縁部には、上記蝶番と上記フック手段との間に位置させて、上記気密レフィル容器の上記ヒンジを挿着するための凹部を形成したことを特徴とするものである。
【０００５】
【特許文献１】特開２００0０−１３９５５６号公報
【発明の開示】
【発明が解決しようとする課題】
【０００６】
このように、特許文献１記載の化粧料容器においては、化粧料の収容部を広く露出しているため、化粧料に対して使用者の力も加わりやすくなり、気密レフィル容器をしっかりと固定させる必要が出てくる。
【０００７】
そのため、上述したように、気密レフィル容器を化粧料容器の収容凹部にホットメルト等で接着した構成が採用されているが、その一方で、気密レフィル容器（以下、中皿と呼ぶ。）を交換できることが望まれている。例えば、使用者は、中皿に充填された化粧料を使い終わった場合、中皿を取り外し、新しい中皿を取り付けて、再び化粧料容器を使用することが要望されている。
【０００８】
しかしながら、中皿を収容凹部にしっかりと固定した場合には、従来のように、化粧料容器の裏側に小孔を穿設し、当該小孔から針等の先端の尖った部材で中皿の底を押して取り出す方法では、中皿をスムーズに取り出せないという問題が発生した。
すなわち、常に交換時に尖った部材が必要であり、中皿をしっかりと固定させればさせるほど、中皿の交換に力が必要となり女性とって困難となる。
【０００９】
以上の点に鑑み、本発明の目的は、中皿を確実に保持しつつ、容易に中皿の交換を行うことができる化粧料容器を提供することである。
【課題を解決するための手段】
【００１０】
（１）
本発明に係る化粧料容器は、側壁に囲まれ、化粧料を充填した中皿を収容する収容凹部を有する容器本体と、容器本体に開閉自在に蝶着された蓋体とを有する化粧料容器であって、収容凹部の一の側壁に中皿に係合する固定係止部が形成され、収容凹部の一の側壁に対向する他の側壁に中皿に係合する弾性係止部が形成され、一の側壁近傍側の収容凹部の底面に孔部が形成されたものである。
【００１１】
本発明に係る化粧料容器においては、収容凹部の一の側壁に中皿の凹部に係合する固定係止部が形成され、収容凹部の一の側壁に対向する他の側壁に中皿の凹部に係合する弾性係止部が形成され、一の側壁側の収容凹部の底面に孔部が形成される。
【００１２】
この場合、固定係止部および弾性係止部により中皿を確実に固定させることができる。また、孔部が形成されているので、使用者が指により孔部を介して中皿を押すことにより、他の側壁側の弾性係止部が変形される。それにより、一の側壁側の固定係止部と中皿とが係合する力が弱まり、わずかな力で中皿を収容凹部から離脱させることができる。
【００１３】
（２）
孔部は、楕円状孔部からなり、蓋体の蝶着側に一の側壁が形成され、楕円状孔部の長軸が蓋体の蝶着軸に並行に形成されることが好ましい。
【００１４】
この場合、一の側壁が化粧料容器の上側に配設されるので、使用者は、化粧料容器の裏面側から、長軸の両端側に複数の指をあてて、中皿を楕円状孔部を介して下側に押すことにより、弾性係止部が変形される。それにより、一の側壁側の固定係止部と中皿とが係合する力が弱まり、わずかな力で固定係止部と中皿との嵌合を容易に離脱させることができる。
【００１５】
また、従来の小さな孔部の場合、針等の細い尖った部材で、中皿を押し上げていたが、本発明に係る化粧料容器においては、点ではなく、複数の指等の面において中皿を取り外すことができるため、均一に押しやすく、さらに、弱い力であっても面を押すため、中皿を容易に取り外すことができる。
【００１６】
（３）
化粧料を充填した中皿をさらに備え、中皿は、ヒンジ部を介して設けられた上蓋を含み、容器本体に中皿を収容した際に、中皿のヒンジ部が外部に露出するよう容器本体の側壁の一部を切欠いた切欠き部を有してもよい。
【００１７】
この場合、化粧料容器の側部に中皿のヒンジ部を配置させるので、中皿の上蓋を化粧料容器の側方に開くことができる。その結果、中皿の上蓋が鏡を隠したり、手前に開いて化粧の邪魔になったりすることがない。さらに、使用者は、親指を化粧料容器の表側に配置し、人差し指を化粧料容器の裏側の楕円状孔部による凹形状に容易に配置させることにより化粧料容器を確実に保持することができる。
【００１８】
（４）
中皿を容器本体に収納した場合に、楕円状孔部に対応する中皿の裏面の位置に凹凸形状が形成されてもよい。
【００１９】
この場合、中皿に凹凸形状が形成され、使用者は、化粧料容器の裏面側から、中皿の凹凸形状に複数の指をあてて押すことにより、摩擦力を向上させることができ、しっかりと中皿の裏面から力を加えることができる。その結果、容易に中皿を取り外すことができる。
【発明を実施するための最良の形態】
【００２０】
以下、本発明に係る化粧料容器について図面を用いて説明する。なお、本実施の形態においては、化粧料容器としてファンデーション化粧料が充填された中皿および化粧用パフを並列させて収容可能な化粧料容器を例に挙げて説明する。
【００２１】
（第１の実施の形態）
図１は、本発明の第１の実施の形態に係る化粧料容器の構成の一例を示す模式的外観図であり、図２は、図１に示す化粧料容器の使用状態を説明するための模式的外観図である。
【００２２】
図１に示すように、化粧料容器１００は、合成樹脂製の蓋体１１０および合成樹脂製の容器本体１２０からなる。また、蓋体１１０の内側には、鏡１１２が設けられており、蓋体１１０は、容器本体１２０と蝶番１１８により開閉可能に配設されている。また、化粧料容器１００は、平面視略直方体形状に形成されている。
【００２３】
例えば、使用者が容器本体１２０に設けられたフックピース１９０を押すことにより、蓋体１１０に設けられたフック（係合爪）１１５が係止部１９１から外れる。そして、使用者は、蓋体１１０を蝶番１１８に沿って回転させる。それにより、化粧料容器１００の開動作が行われる。一方、使用者が蓋体１１０を押して、蝶番１１８に沿って蓋体１１０を回転させる。そして、フック（係合爪）１１５が係止部１９１に係止される。それにより、化粧料容器１００の閉動作が行われる。
【００２４】
また、図１に示すように、容器本体１２０には、化粧用パフ３００を収容可能な凹部１８０および中皿２００を収容可能な収容凹部１３０が形成されている。これらの凹部１８０および収容凹部１３０は、仕切り板により仕切られている。そして、例えば、図２に示すように、凹部１８０に化粧用パフ３００が収容され、収容凹部１３０に中皿２００が収容される。
【００２５】
図１に示す収容凹部１３０の側壁１３１には、２個の固定係止部１５１が設けられ、収容凹部１３０の側壁に対向する側壁１３２には、２個の弾性係止部１５０が設けられる（図９参照）。これらの固定係止部１５１および弾性係止部１５０の詳細については、後述する。また、収容凹部１３０の底部には、貫通した孔部１３５が設けられている。孔部１３５は、固定係止部１５１側の側壁１３１の近傍に設けられる。また、収容凹部１３０の側壁１３１に隣接する側壁には、切欠き部１４０が設けられている。切欠き部１４０は、後述する中皿２００のヒンジ部２３０が収容可能なサイズで形成される。
【００２６】
また、中皿２００は、上蓋２１０、化粧料収容部（以下、収容部と呼ぶ。）２２０およびヒンジ部２３０からなる。収容部２２０に対して、上蓋２１０がヒンジ部２３０を軸として開閉可能なように形成されている。ここで、中皿２００の上蓋２１０および収容部２２０が閉状態にされた場合、上蓋２１０の内周に設けられたパッキンが、収容部２２０の上端周辺に押さえつけられ、中皿２００の内部の化粧料４００を気密に保つことができる。
【００２７】
また、中皿２００の収容部２２０の側部には、一対の係止部２４０，２４１が形成されている。一対の係止部２４０，２４１の詳細については、後述する。また、図２に示すように、中皿２００のヒンジ部２３０は、化粧料容器１００を閉じた場合でも外観から視認できるように配設されている。
【００２８】
なお、上記実施の形態においては、エマルジョンタイプの化粧料を収容する中皿として気密性を有する中皿２００を図示したが、これに限定されず、本発明は、パウダータイプの化粧料を収容する中皿等にも適用することができる。
【００２９】
次に、図３は、図１および図２に示した化粧料容器１００の裏面の一例を示す模式的外観図であり、図４は化粧料容器１００から中皿２００を取り外す際の状態を説明するための模式的外観図である。
【００３０】
図３に示すように、化粧料容器１００の容器本体１２０の裏面から視野すると、収容凹部１３０を貫通して形成された孔部１３５があり、凹部１８０を貫通して形成された多数の孔部１８１がある。この孔部１８１は、化粧用パフ３００の湿気を低下させるために、すなわち通気性を高めるために形成されている。
また、図３に示すように、本実施の形態においては、化粧料容器１００の孔部１３５は、楕円形状からなる孔部１３５が形成されており、楕円形状の孔部１３５の長軸が蝶番１１８と並行となるように設けられている。また、楕円形状からなる孔部１３５は、収容凹部１３０に対して偏心して設けられている。さらに、楕円形状からなる孔部１３５は、図４に示すように、使用者の複数の指９００で押すことが可能なサイズで形成されている。また、図３に示すように、容器本体１２０の底面に対して、中皿２００の収容部２２０の底面は、面一ではなく、凹状となるように形成されている。
【００３１】
また、図５、図６および図７は、中皿２００の裏面に設けられた凹凸形状の一例を説明するための模式的拡大図である。
【００３２】
まず、図５に示すように、中皿２００の収容部２２０の底面に設けられた複数の突起形状からなる凹凸形状２６０は、千鳥状でかつ、図４に示した指９００の接触部位に配設される。また、図６に示すように、中皿２００ａの収容部２２０ａの底面に凹凸形状２６０の代わりに確実に指９００が係るように、リブ形状からなる複数の凹凸形状２６０ａを設けてもよく、さらに、図７に示すように、中皿２００ｂの収容部２２０ｂの底面に凹凸形状２６０の代わりに、指形状に応じた２個の凹凸形状２６０ｂを設けてもよい。なお、凹凸形状２６０，２６０ａ，２６０ｂの突起先端は、化粧料容器１００内に収容された場合、容器本体１２０の底面よりも突出しないように形成されている。
【００３３】
なお、上記実施の形態においては、凹凸形状２６０，２６０ａ，２６０ｂを例示したが、これに限定されず、他の任意の凹凸形状、他の任意の摩擦向上形状を用いてもよい。
【００３４】
続いて、図８は、中皿２００と係合する化粧料容器１００の固定係止部１５１を説明するための模式的拡大図であり、図９は、中皿２００と係合する化粧料容器１００の弾性係止部１５０を説明するための模式的拡大図である。
【００３５】
図８に示すように、中皿２００に設けられた係止部２４１は、凹形状からなり、化粧料容器１００に中皿２００が収容された場合、係止部２４１に破線の方向に沿って凸形状からなる固定係止部１５１が係合する。なお、図８においては、係止部２４１は、凹形状からなることとしたが、これに限定されず、係止部２４１は、固定係止部１５１との間で係合する形状であれば、他の任意の形状であってもよい。また、図８においては、２個の固定係止部１５１からなることとしているが、これに限定されず、１個の固定係止部であってもよく、他の任意の数、３個、４個の固定係止部であってもよい。さらに、係止部２４１は、固定係止部１５１に係合する形状であればよい。
【００３６】
また、図９に示すように、中皿２００に設けられた係止部２４０は、凹形状からなり、化粧料容器１００に中皿２００が収容された場合、係止部２４０に破線の方向に沿って凸形状を有する弾性係止部１５０が係合する。ここで、弾性係止部１５０は、側壁１３２にスリット１５５を設けることにより形成されている。なお、図９においては、係止部２４０は、凹形状からなることとしたが、これに限定されず、係止部２４０は、弾性係止部１５０との間で係合する形状であれば、他の任意の形状であってもよい。また、図９においては、２個の弾性係止部１５０からなることとしているが、これに限定されず、１個の弾性係止部であってもよく、他の任意の数、３個、４個の弾性係止部であってもよい。さらに、係止部２４０は、弾性係止部１５０に係合する形状であればよい。
【００３７】
次いで、図１０から図１２は、化粧料容器１００から中皿２００を取り外す際の状態を説明するための模式的工程図である。なお、図１０から図１２の模式的工程図は、図１におけるA―A線矢視断面である。
【００３８】
図１０に示すように、固定係止部１５１の近傍の収容凹部１３０の底面には、上述した楕円形状の孔部１３５が形成されている。また、弾性係止部１５０には、図９に示したようにスリット１５５が形成されており、弾性係止部１５０は、図１１に示すように矢印Rの方向に弾性を有する。さらに、孔部１３５に対応する中皿２００の底面には、図５から図７に示したように、凹凸形状２６０が形成されている。
【００３９】
次に、図１１に示すように、使用者が、複数の指９００により、凹凸形状２６０を矢印Fの方向に押す。それにより、中皿２００が矢印Xの方向に移動され、弾性係止部１５０が矢印Rの方向に弾性移動され、固定係止部１５１と係止部２４１との係合する力が小さくなる。この場合、孔部１３５が偏心して設けられているので、中皿２００の中心を軸として回転モーメントが生じる。その結果、図１２に示すように、中皿２００が指９００により化粧料容器１００から容易に取り外される。
【００４０】
（第２の実施の形態）
以下、第２の実施の形態について説明する。第２の実施の形態においては、主に第１の実施の形態と異なる部分について説明を行う。
【００４１】
図１３は第２の実施の形態に係る化粧料容器１００ａの構成の一例を示す模式的外観図であり、図１４は図１３に示した化粧料容器１００ａの裏面の一例を示す模式的外観図である。
【００４２】
まず、図１３に示すように、化粧料容器１００ａは、蓋体１１０および容器本体１２０ａからなる。また、容器本体１２０ａは、第１の実施の形態に係る容器本体１２０と異なり、収容凹部１３０の側壁１３１には、２個の弾性係止部１５０ａが設けられ、収容凹部１３０の側壁に対向する側壁１３２には、２個の固定係止部１５１ａが設けられる（図１６参照）。これらの弾性係止部１５０ａおよび固定係止部１５１ａの詳細については、後述する。また、収容凹部１３０の底部には、貫通した孔部１３５ａが設けられている。この孔部１３５ａは、第１の実施の形態に係る容器本体１２０と異なり、蝶番１１８から離れた側壁１３２に近接して設けられる。また、中皿２００および化粧用パフ３００は、図１および図２に示した中皿２００および化粧用パフ３００と同一である。
【００４３】
図１４に示すように、化粧料容器１００ａの容器本体１２０ａの裏面から視野すると、収容凹部１３０を貫通して形成された孔部１３５ａがある。本実施の形態においては、第１の実施の形態と同様に、化粧料容器１００ａの孔部１３５ａは、楕円形状からなる孔部１３５ａが形成されており、楕円形状の孔部１３５ａの長軸が蝶番１１８と並行となるように設けられている。また、本実施の形態においては、第１の実施の形態の楕円形状からなる孔部１３５の位置と異なり、収容凹部１３０に対して孔部１３５と逆側に偏心して設けられている。さらに、楕円形状からなる孔部１３５ａは、図４と同様に、使用者の複数の指９００で押すことが可能なサイズで形成されている。また、図１４に示すように、容器本体１２０ａの底面に対して、中皿２００の収容部２２０の底面は、面一ではなく、凹状となるように形成されている。
【００４４】
図１５は中皿２００と係合する化粧料容器１００ａの弾性係止部１５０ａを説明するための模式的拡大図であり、図１６は中皿２００と係合する化粧料容器１００ａの固定係止部１５１ａを説明するための模式的拡大図である。
【００４５】
図１５に示すように、中皿２００に設けられた係止部２４１は、凹形状からなり、化粧料容器１００ａに中皿２００が収容された場合、係止部２４１に破線の方向に沿って凸形状からなる弾性係止部１５０ａが係合する。ここで、弾性係止部１５０ａは、側壁１３１にスリット１５５ａを設けることにより形成されている。
【００４６】
また、図１６に示すように、中皿２００に設けられた係止部２４０は、凹形状からなり、化粧料容器１００ａに中皿２００が収容された場合、係止部２４０に破線の方向に沿って凸形状からなる固定係止部１５１ａが係合する。
【００４７】
なお、図１５および図１６においては、係止部２４０，２４１は、凹形状からなることとしたが、これに限定されず、係止部２４０，２４１は、弾性係止部１５０ａ，固定係止部１５１ａとの間で係合する形状であれば、他の任意の形状であってもよい。また、図１５および図１６においては、２個の弾性係止部１５０ａおよび２個の固定係止部１５１ａからなることとしているが、これに限定されず、１個の弾性係止部または１個の固定係止部であってもよく、他の任意の数、３個、４個の弾性係止部または固定係止部であってもよい。さらに、係止部２４０，２４１は、弾性係止部１５０ａおよび固定係止部１５１ａに係合する形状であればよい。
【００４８】
次いで、図１７から図１９は、化粧料容器１００ａから中皿２００を取り外す際の状態を説明するための模式的工程図である。なお、図１７から図１９の模式的工程図は、図１３におけるＢ―Ｂ線矢視断面である。
【００４９】
図１７に示すように、弾性係止部１５０ａの近傍の収容凹部１３０の底面には、上述した楕円形状の孔部１３５ａが形成されている。また、弾性係止部１５０ａには、図１５に示したようにスリット１５５ａが形成されており、弾性係止部１５０ａは、図１８に示すように矢印Ｒａの方向に弾性を有する。
【００５０】
次に、図１８に示すように、使用者が、複数の指９００により、凹凸形状２６０を矢印Ｆａの方向に押す。それにより、中皿２００が矢印Ｘａの方向に移動され、弾性係止部１５０ａが矢印Ｒａの方向に弾性移動され、固定係止部１５１ａと係止部２４１との係合する力が小さくなる。その結果、図１９に示すように、中皿２００が指９００により化粧料容器１００ａから容易に取り外される。
【００５１】
以上のように、第１の実施の形態および第２の実施の形態に係る化粧料容器１００，１００ａにおいては、固定係止部１５１，１５１ａおよび弾性係止部１５０，１５０ａにより中皿２００を確実に固定させることができる。また、楕円形状からなる孔部１３５，１３５ａが形成されているので、使用者が複数の指９００により孔部１３５，１３５ａを介して中皿２００を押すことができる。
【００５２】
さらに、中皿２００に凹凸形状２６０，２６０ａ，２６０ｂが形成され、使用者は、化粧料容器１００の裏面側から、中皿２００の凹凸形状２６０，２６０ａ，２６０ｂに複数の指９００をあてて押すことにより、しっかりと中皿２００の裏面から力を加えることができる。その結果、側壁１３１の固定係止部１５１，１５１ａと中皿２００とが係合する力が弱まり、わずかな力で中皿２００を収容凹部１３０から離脱させることができ、容易に中皿２００を取り外すことができる。
【００５３】
さらに、化粧料容器１００の側部に中皿２００のヒンジ部２３０を配置させるので、中皿２００の上蓋２１０を化粧料容器１００，１００ａの側方に開くことができる。その結果、図２０に示すように、使用者は、指９００を化粧料容器１００，１００ａの表側に配置し、人差し指を化粧料容器１００，１００ａの裏側の楕円状孔部１３５，１３５ａによる凹形状に容易に配置させることにより化粧料容器１００，１００ａを確実に保持することができる。
【００５４】
なお、複数の側壁、例えば、側壁１３１，１３２の両方に弾性係止部１５０，１５０ａを設けた場合、指９００で中皿２００を押した場合に、中皿２００が、一方向に移動することはなく、複数の方向に移動することとなり、使用者は、あらゆる方向に力を加えることとなる。その結果、中皿２００を取り外すことが困難となる。しかし、本発明のように、一方に固定係止部１５１を設け、他方に弾性係止部１５０を設けることにより、中皿２００の取り外し方向を一方向に限定することができるので、中皿２００に使用者の指９００により押される力を的確に加えることができる。
【００５５】
さらに、固定係止部１５１，１５１ａ側に孔部１３５，１３５ａを設けることにより、中皿２００に対して適切に回転モーメントを加えることができ、容易に少ない力で中皿２００を取り外すことができる。なお、本実施の形態においては、孔部１３５，１３５ａを楕円形状からなることとしているが、これに限定されず、指９００等により面で押すことができればよく、他の任意の形状であってもよい。
【００５６】
なお、本実施の形態においては、容器本体１２０，１２０ａを一の部材からなることとしているが、これに限定されず、中枠および外部材等の複数の部材からなってもよい。それにより、容器本体１２０，１２０ａの形成を容易に行うことができ、さらに軽量化を図ることができる。さらに、係止部２４０，２４１の凹形状の断面が略三角形状からなることとしたが、これに限定されず、湾曲または矩形状であってもよい。
【００５７】
なお、本実施の形態においては、化粧料容器としてファンデーション化粧料が充填された中皿および化粧用パフを並列させて収容可能な化粧料容器を例に挙げて説明したが、これに限定されず、アイシャドウ、フェースパウダー等の化粧料を充填した中皿および塗布ブラシ等の塗布用具を収容してもよい。また、化粧料容器として中皿のみを収容可能な化粧料容器、中皿および化粧用パフを重ねて収容可能な化粧料容器または他の任意の化粧料容器についても本発明を適用することができる。
【００５８】
本発明の好ましい第１および第２の実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【図面の簡単な説明】
【００５９】
【図１】本発明の第１の実施形態に係る化粧料容器の構成の一例を示す模式的外観図
【図２】図１に示す化粧料容器の使用状態を説明するための模式的外観図
【図３】図１および図２に示した化粧料容器の裏面の一例を示す模式的外観図
【図４】化粧料容器から中皿を取り外す際の状態を説明するための模式的外観図
【図５】中皿の裏面に設けられた凹凸形状を説明するための模式的拡大図
【図６】中皿の裏面に設けられた凹凸形状を説明するための模式的拡大図
【図７】中皿の裏面に設けられた凹凸形状を説明するための模式的拡大図
【図８】中皿と係合する化粧料容器の固定係止部を説明するための模式的拡大図
【図９】中皿と係合する化粧料容器の弾性係止部を説明するための模式的拡大図
【図１０】化粧料容器から中皿を取り外す際の状態を説明するための模式的工程図
【図１１】化粧料容器から中皿を取り外す際の状態を説明するための模式的工程図
【図１２】化粧料容器から中皿を取り外す際の状態を説明するための模式的工程図
【図１３】第２の実施の形態に係る化粧料容器の構成の一例を示す模式的外観図
【図１４】図１３に示した化粧料容器の裏面の一例を示す模式的外観図
【図１５】中皿と係合する化粧料容器の弾性係止部を説明するための模式的拡大図
【図１６】中皿と係合する化粧料容器の固定係止部を説明するための模式的拡大図
【図１７】化粧料容器から中皿を取り外す際の状態を説明するための模式的工程図
【図１８】化粧料容器から中皿を取り外す際の状態を説明するための模式的工程図
【図１９】化粧料容器から中皿を取り外す際の状態を説明するための模式的工程図
【図２０】化粧料容器を保持する効果を説明するための模式的斜視図
【符号の説明】
【００６０】
１００，１００ａ  化粧料容器
１１０，１１０ａ  蓋体
１１８  蝶番
１２０，１２０ａ  容器本体
１３０  収容凹部
１３１，１３２  側壁
１３５，１３５ａ  孔部
１４０  切欠き部
１５０，１５０ａ  弾性係止部
１５１，１５１ａ  固定係止部
２００  中皿
２１０  上蓋
２３０  ヒンジ部
２６０，２６０ａ，２６０ｂ  凹凸形状
【図１】
2010075238.tif 000003
【図２】
2010075238.tif 000004
【図３】
2010075238.tif 000005
【図４】
2010075238.tif 000006
【図５】
2010075238.tif 000007
【図６】
2010075238.tif 000008
【図７】
2010075238.tif 000009
【図８】
2010075238.tif 000010
【図９】
2010075238.tif 000011
【図１０】
2010075238.tif 000012
【図１１】
2010075238.tif 000013
【図１２】
2010075238.tif 000014
【図１３】
2010075238.tif 000015
【図１４】
2010075238.tif 000016
【図１５】
2010075238.tif 000017
【図１６】
2010075238.tif 000018
【図１７】
2010075238.tif 000019
【図１８】
2010075238.tif 000020
【図１９】
2010075238.tif 000021
【図２０】
2010075238.tif 000022